(57)【特許請求の範囲】
【請求項１】
ハンドルを含む本体部と、
カットブレードアセンブリと、
調節可能なカットガイドと、
近傍に前記カットブレードアセンブリが設けられる前記本体部の端部で、前記カットブレードアセンブリの一部を覆う支持部材と、
を含み、
前記調節可能なカットガイドは、
一端を前記支持部材に旋回可能に支持されて、前記カットブレードアセンブリに近づくように及び離れるように旋回する第１のカットガイド部材、
を含み、
前記第１のカットガイド部材は、ユーザの皮膚上に基準ラインを提供するように、前記カットブレードアセンブリに対し選択された角度に調節可能であり、これにより、前記基準ラインに対し前記選択された角度で毛をカットできるようになる、毛をカットするデバイス。
【請求項２】
第２のカットガイド部材が、前記第１のカットガイド部材に旋回可能に取付けられる、請求項１に記載のデバイス。
【請求項３】
前記支持部材は、回転可能なプラットフォームを含み、前記第１のカットガイド部材は、前記回転可能なプラットフォームに旋回可能に取付けられる、請求項１に記載のデバイス。
【請求項４】
前記カットブレードアセンブリは、一列のカット歯を含み、前記第１のカットガイド部材は、前記一列のカット歯に垂直な面において移動可能である、請求項１に記載のデバイス。
【請求項５】
前記調節可能なカットガイドは、前記本体部又は前記カットブレードアセンブリに取り外し可能に取付けられる、請求項１に記載のデバイス。
【請求項６】
前記調節可能なカットガイドは、前記本体部又は前記カットブレードアセンブリに、複数の異なる向きで取り付け可能である、請求項５に記載のデバイス。
【請求項７】
前記第１のカットガイド部材が、前記カットブレードアセンブリに対し選択された角度にロックされることを可能にするロック機構を更に含む、請求項１に記載のデバイス。
【請求項８】
ハンドルを含む本体部と、
カットブレードアセンブリと、
調節可能なカットガイドと、
を含み、
前記調節可能なカットガイドは、
前記基準ラインとしてユーザの皮膚上に第１の光ビームを投影する第１の光源、
を含み、
前記第１の光源は、ユーザの皮膚上の基準ラインを提供するように、前記第１のビームの角度を、前記カットブレードアセンブルに対し選択された角度に調節可能であり、これにより、前記基準ラインに対し前記選択された角度で毛をカットできるようになる、毛をカットするデバイス。
【請求項９】
前記第１の光源は、前記カットブレードアセンブリに対する前記第１の光ビームの角度が前記選択された角度に調節できるように、移動可能である、請求項８に記載のデバイス。
【請求項１０】
前記第１の光ビームと第２の光ビームとがヘアカット動作のためのクロスヘア基準点を定義するように交差するように、前記カットブレードアセンブリと平行に前記第２の光ビームを投影する第２の光源を更に含む、請求項９に記載のデバイス。
【請求項１１】
前記第２の光源は、前記カットブレードアセンブリに対し固定されている、請求項１０に記載のデバイス。
【請求項１２】
前記第２の光源は、前記カットブレードアセンブリによって毛がカットされるカットラインにおいて、前記第２の光ビームを前記ユーザの皮膚上に投影する、請求項１１に記載のデバイス。
【請求項１３】
シェービングヘッドを有するシェーバーを含み、前記カットブレードアセンブリは、前記シェービングヘッドとは別個のトリマーユニットを含む、請求項１に記載のデバイス。
【発明の詳細な説明】
【技術分野】
【０００１】
本発明は、ヘアカットデバイスの分野、より具体的には、ヘアカットガイドを有するデバイスに関する。
【背景技術】
【０００２】
体毛及び顔の毛をカットするための手入れ用デバイスが存在している。このようなデバイスは、「トリマー」として知られ、通常、一組の固定ブレードと、固定ブレードに対して左右に振動する、隣接する一組の移動ブレードとを含み、２組のブレード間に突出する毛を切断する。このようなデバイスは、米国特許出願公開第２００４／１３９６１５号に開示されている。このようなデバイスを使用する際、ユーザにとって、所望のヘアスタイルを作るために、また、そのスタイルを顔の片側からもう片側へと反映させるために、高い精度で、毛、特に顔の毛をトリムすることはときに難しいことがある。米国特許出願公開第２００４／１３９６１５号に開示されているトリミングデバイスは、カットブレードを水平に保てるように、トリマーの本体に組み込まれるアルコール水準器を具備することによって、この問題を部分的に解決することを試みる。
【発明の概要】
【発明が解決しようとする課題】
【０００３】
米国特許出願公開第２００４／１３９６１５号に開示されているヘアカット／トリミングデバイスには、ユーザが、水平線でしか正確に毛をカットすることができないという問題がある。更に、顔の毛をカットするために使用される場合、カットスタイルがユーザの顔の両側で再現される精度は、両側においてカットする際にユーザが顔の高さを維持することに依存する。
【０００４】
欧州特許第２０４０８９３号に開示されているヘアカットデバイスは、シェービングの際にブレードエッジの位置合わせを可能にするようにかみそりのブレードの正確な位置を示すために、ユーザの皮膚に光線を投影する光源を有するシェービング用のかみそりを含む。光線によって、ユーザは、顔面のどこにブレードが接触するのかを確認することができるが、この文献のデバイスでは、ユーザは、自分の顔又は体の任意の基準点に対し、所望のパターン又はスタイルで正確に毛をカットすることができず、また、ユーザが、自分の顔の片側のヘアスタイルカットをもう片側へと反映させる手段も提供しない。
【０００５】
上述した問題の少なくとも１つを大幅に軽減又は解決する毛をカットするデバイスを提供することが有利であろう。
【課題を解決するための手段】
【０００６】
本発明によれば、ハンドルを含む本体部と、カットブレードアセンブリと、調節可能なカットガイドとを含み、当該カットガイドの位置は、ユーザの皮膚上に基準ラインを提供するようにカットブレードに対し選択された角度に調節可能であり、これにより、基準ラインに対し上記角度で毛をカットできるようになる、毛をカットするデバイスが提供される。
【０００７】
当該デバイスは、ヘアトリマーを含むか、又は、ヘアトリマーユニットを有するシェーバーを含む。このようなシェーバーは、シェービングヘッドを含み、上述したカットブレードアセンブリは、当該シェービングヘッドとは別個のトリマーユニットを含む。
【０００８】
当該カットガイドは、カットブレードアセンブリに対し角度位置に配置される第１のカットガイド部材を含み、これにより、ユーザは、当該ガイド部材に対し選択された位置で毛をカットできるように、当該カットガイド部材を皮膚／体上の基準特徴に位置合わせすることができる。第１のカットガイド部材は、支持部材に旋回可能に取付けられる。
【０００９】
当該デバイスは更に、第１のカットガイド部材に旋回可能に取付けられた第２のカットガイド部材を含む。第２のカットガイド部材は、第１のカットガイド部材が支持部材に取付けられた位置とは反対の第１のカットガイド部材の端に提供される。第１及び第２のカットガイド部材を有するこのような実施形態は、ユーザに、より広い範囲のヘアカット角度を実現できるようにより多様な基準ガイド位置を与える。
【００１０】
支持部材は、回転可能なプラットフォームを含み、カットガイド部材は、回転可能なプラットフォーム上に旋回可能に取付けられる。これにより、ユーザは、例えば顔／体の片側のカットスタイルをもう片側に反映させるときに、カットガイド部材の角度位置を維持しつつ、カットガイドの向きを切り替えることが可能となる。
【００１１】
カットブレードは、一列のカット歯を含み、第１のカットガイド部材は、一列のカット歯に垂直な面において移動可能である。
【００１２】
カットガイドは、本体部又はカットブレード上に取り外し可能に取付けられる。これは、柔軟性という利点を提供し、これにより、ユーザは、カットガイド付きで又はカットガイドなしでヘアカットデバイスを使用することを選択でき、したがって、必要なときにのみカットガイドを使用できる。更に、カットガイドは、本体部又はカットブレードアセンブリに、複数の異なる向きで取り付け可能である。これにより、ユーザは、スタイルを、体／顔の片側からもう片側に、より容易に再現することができる。
【００１３】
当該デバイスは更に、カットガイドが、カットブレードに対し選択された角度位置にロックされることを可能にするロック機構を含む。当該ロック機構は、一定の及び選択された角度／パターンで毛がカットされることを確実にするために、使用時に、カットガイドが選択された位置に留まることを確実にする。
【００１４】
或いは、カットガイドは、基準ラインとしてユーザの皮膚上に第１の光ビームを投影する第１の光源を含み、当該第１の光源は、カットブレードに対する第１の光ビームの角度が、選択された角度に調節できるように、移動可能である。第１の光ビームは、扇形といったユーザの顔面に投影される基準形状を含み、当該形状の構造は、例えば扇形の角度を変化させるように、その基準ラインを変化させるように、変化可能である。このことは、ガイド部材がユーザの皮膚／体に物理的に触れることなく、容易に目に見える基準ラインを提供し、光ビームの角度を調節することを可能にする。カットブレードに対する第１の光ビームの角度は、カットブレードアセンブリに対し０度（即ち、カットブレードアセンブリと平行）を含む角度の範囲内で調節可能であり、或いは、カットブレードアセンブリと平行である状態、即ち、カットブレードアセンブリとぴったりと位置合わせされた状態は除く、カットブレードアセンブリに対する角度位置の範囲内で調節可能である。
【００１５】
当該デバイスは更に、カットブレードに対し固定され、第１及び第２の光ビームが、ヘアカット動作のためのクロスヘア基準点を定義するように、交差するように、カットブレードと平行に第２の光ビームを投影する第２の光源を含む。このような一対の基準ビームは、特定の毛又は顔の特徴が、対応するビーム及び交差点と位置合わせされ、ヘアカット精度を更に高めるという利点を提供する。
【００１６】
第２の光源は、カットブレードアセンブリによって毛がカットされるカットラインにおいて、第２の光ビームをユーザの皮膚上に投影する。或いは、第２の光源は、カットブレードアセンブリによって毛がカットされるカットラインと平行ではあるが、当該カットラインから前方方向に離間されるユーザの皮膚上に、第２の光ビームを投影する。
【００１７】
第１の光源は、その所定の位置を提供するために、また、デバイスの別々の使用間で、カット角度／向きの正確な複製を可能とするために、選択された角度位置間で増分移動が可能である。
【００１８】
カットガイドは、第１の光源の角度位置を制御する回転式制御アクチュエータを含んでもよい。これは、ユーザによる所望の位置へのカットガイドの簡単な操作を可能にする。
【００１９】
ハンドルを含む本体部と、カットブレードアセンブリと、調節可能なカットガイドとを有するヘアカットデバイスを使用して毛をカットする方法も提供される。当該方法は、カットガイドの位置を、ユーザの皮膚上に基準ラインを提供するようにカットブレードアセンブリに対し選択された角度に調節するステップと、当該基準ラインを、ユーザの皮膚／体上の選択された基準特徴に位置合わせするステップと、当該基準ラインに対し選択された角度でユーザの毛をカットするステップとを含む。
【００２０】
当該方法は更に、ガイド部材を、ユーザの皮膚／体上の選択された基準特徴に位置合わせするステップを含んでもよい。或いは、当該方法は更に、第１の光源の第１の光ビームを、ユーザの皮膚／体上の選択された基準特徴に位置合わせするステップを含んでもよい。
【００２１】
当該方法は更に、カットガイド上のロック機構を使用して、カットブレードに対し選択された角度位置にカットガイドをロックするステップを更に含んでもよい。
【図面の簡単な説明】
【００２２】
本発明の実施形態を、ほんの一例として、添付図面を参照して説明する。
【００２３】
【図１】図１は、本発明の第１の実施形態のヘアトリミングデバイスの斜視図を示す。
【図２】図２は、ユーザによる操作時の図１のデバイスを示す。
【図３】図３は、本発明の第２の実施形態のヘアトリミングデバイスの斜視図を示す。
【図４】図４は、ユーザによる操作時の図３のデバイスを示す。
【図５】図５は、本発明の第３の実施形態のヘアトリミングデバイスの斜視図を示す。
【図６】図６は、図５のデバイスのカットガイドの斜視図を示す。
【図７】図７は、広げられて傾斜位置にある図６のカットガイドを示す。
【図８】図８は、分離され、別の向きにある図６のカットガイドを示す。
【図９】図９は、分離され、更なる別の向きにある図６のカットガイドを示す。
【図１０】図１０は、本発明の第４の実施形態のヘアトリミングデバイスの斜視図を示す。
【図１１】図１１は、図１０のデバイスのカットガイドの斜視図を示す。
【図１２】図１２は、広げられ傾斜位置にある図１１のカットガイドを示す。
【図１３】図１３は、本発明の第５の実施形態のヘアトリミングデバイスの斜視図を示す。
【図１４】図１４は、図１３のデバイスのカットガイドの斜視図を示す。
【発明を実施するための形態】
【００２４】
図１及び図２を参照するに、次に限定されないが、顔や体の毛といった毛をカットしてトリミングするデバイス１０が示され、本体部１１とブレード部１２とを含む。ブレード部１２は、固定ブレードプレート１３と移動ブレードプレート１４とを含む。移動ブレードプレート１４は、固定ブレードプレート１３の隣にあり、使用時には、モーター（図示せず）によって駆動されて、図１に矢印「Ａ」によって示されるように、固定ブレードプレート１３の全域で往復振動する。各ブレードプレート１３、１４は、複数のカット歯１５を含む。毛は、２つのブレードプレート１３、１４の歯１５の間に突出したときのせん断作用によりカットされる。
【００２５】
カットガイド１６が提供され、ブレード部１２に隣接するデバイス１０の端に取り外し可能に固定される支持カバー１８に旋回可能に取付けられたアーム１７の形のガイド部材を含む。アーム１７は、矢印Ｂによって示されるように、ブレード部１２に近づくように及び離れるように旋回する。
【００２６】
カットガイド１６によって、ユーザは、皮膚／体上の他の基準特徴に対し所定の角度で毛を正確にトリミングできるようになる。当該角度は、ブレード部１２に対するアーム１７の位置によって決定される。図２では、ユーザによる操作時の当該デバイスが示され、アーム１７は、ブレード部１２から離れるように旋回されていることが分かる。ユーザは、次に、アーム１７を、耳、鼻、口等といったユーザの顔の特徴に対応する基準ライン１９、又は、図２に示されるように、ユーザの口髭の下向き部１７に位置合わせし、それにより、ブレード部１２は、基準ライン１９に対し所定角θにあるカットブレード１３、１４の歯１５に対応するカットライン２１に沿って、毛を正確にカットできる。更に、ユーザは、ブレード部１２に対し同じ所定角θに設定されたアーム１７を使用して、自分の顔のもう片側で、ヘアカットパターンを正確にかつ容易に再現することができ、これにより、自分の顔の両側に左右対称のパターン／スタイルが実現される。アーム１７は、ユーザの口髭のもう片側の下向き部２０の対応する基準ライン１９に位置合わせされ、ブレード部１２は、基準ライン１９に対し所定角θにおけるカットライン２１に沿って毛を正確にカットできる。
【００２７】
アーム１７は、使用時に、その選択された位置からアーム１７が移動しないように、その移動において摩擦抵抗を含む。更に、アーム１７は、選択された角度位置にアームを維持し、使用時にアーム１７が移動しないようにする、代替形式の機械的又は電気的ロックシステムを含んでもよい。
【００２８】
図３に、本発明の第２の実施形態のヘアカット／トリミングデバイス１１０が示され、本体部１１１とブレード部１１２とを含む。ブレード部１１２は、固定ブレードプレート１１３と移動ブレードプレート１１４とを含むが、本発明の第１の実施形態のデバイス１０を参照して上述されたようなプレートであるため、これらの特徴の詳細な説明は繰り返さない。
【００２９】
本発明の第２の実施形態のデバイス１１０にもカットガイド１１６が設けられているが、上述した第１の実施形態のデバイス１０の構造とは異なる構造である。本発明の第２の実施形態のデバイス１１０のカットガイド１１６は、以下により詳細に説明されるように、ユーザの皮膚／体上に意図するヘアカット位置を示すために光ビームを使用する。
【００３０】
カットガイド１１６は、第１の光源１１７と第２の光源１１８とを含む。第１の光源１１７は、本体部１１１に旋回可能に取付けられ、図３において矢印「Ｃ」によって示されるように回転可能である。第２の光源１１８は、本体部１１１上に固定して取り付けられている。第１の光源１１７は、ブレード部１１２に対し角度αにある調節可能な基準ビーム１１９を投影する。当該角度αは、第１の光源１１７の選択された回転位置によって決定される。第２の光源１１８は、ブレード部１１２のブレードプレート１１３、１１４のカットエッジに平行な固定基準ビーム１２１を投影する。図示される実施形態では、固定基準ビーム１２１は、ブレード部１１２のカットエッジの前方に離間されているが、本発明の範囲内では、固定基準ビームが、ブレード部１１２が毛をカットするユーザの皮膚上のカットラインと一致するように投影されることも意図している。２つの基準ビーム１１９、１２１は、「クロスヘア」基準点１２２で交差する。
【００３１】
カットガイド１１６によって、ユーザは、皮膚／体上の他の基準特徴に対し所定角αで毛を正確にトリミングできるようになる。図４では、ユーザによる操作時のデバイス１１０が示され、第１の光源１１７は、調節可能な基準ビーム１１９が固定基準ビーム１２１、したがって、ブレード部１１２のブレードプレート１１３、１１４と角度αをなすように旋回されていることが分かる。ユーザは、次に、調節可能な基準ビーム１１９を、ユーザの顔の特徴、この場合では、ユーザのもみあげの垂直部１２０に位置合わせし、ブレード部１１２は、調節可能な基準ビーム１１９に対し所定角αで毛を正確にカットできる。ユーザは更に、クロスヘア１２２を、ユーザのもみあげの垂直エッジ１２０が傾斜した下部と交わる位置に位置合わせすることによって、正しいカット位置を確実にすることができる。更に、ユーザは、第１の光源１１７を、ブレード部１１２に対し同じ所定角αではあるが、反対方向に傾斜している所定角αの回転位置に設定することによって、自分の顔のもう片側で、ヘアカットパターンを正確にかつ容易に再現することができる。したがって、自分の顔の両側に左右対称なヘアパターン／スタイルを実現することができる。
【００３２】
第１の光源１１７は、ブレード部１１２／固定基準ビーム１２１に対し可変角度の複数の設定された安定位置を有して増分回転動作をしてもよい。更に、設定された安定位置は、調節可能な基準ビーム１１９が固定基準ビーム１２１と平行にある中心の「ゼロ」位置の周りに左右対称に提供される。これにより、ユーザは、顔の片側からもう片側に、同じカット角を容易に再形成することができる。第１の光源１１７は、ダイアル、又は、光源の角度を調節するために容易に操作できる他のアクチュエータとして構成されてもよい。
【００３３】
第１及び第２の光源１１７、１１８は、明確な光ビーム又は光線を投影可能な任意の光源であってよく、本発明の範囲内では、レーザ光源を含んでもよい。
【００３４】
本発明の第２の実施形態のデバイス１１０は、２つの基準ビーム１１９、１２１を投影するために、２つの光源１１７、１１８を有するものとして図示され、説明されているが、本発明の範囲内では、ヘアカットデバイスが、デバイスのブレード部１１２に対し選択された角度で調節可能な基準ビームを投影する調節可能な光源である、１つの光源だけを含み、ブレード部１１２がユーザの顔面に接触する場所の前方の又は当該場所と一致する位置でユーザの顔面にビームを投影する第２の光源１１８は、省略されてもよいことも意図している。更に、本発明の範囲内では、単一の光源が提供されている実施形態では、投影されるビームは必ずしも直線ではなく、円の一部といった１つ以上の傾斜面を有する別の形状を含んでもよく、これにより、当該一部の１つの線がユーザの顔／体上の基準特徴に位置合わせされ、当該一部の別の線が、ブレード部１１２と平行にあってよいことも意図している。このような実施形態では、単一光源によって投影された形状は、投影形状の相対角度を変化させるためにデバイス上の制御アクチュエータを調節することによって、変化させることが可能である。
【００３５】
図５乃至図９に、本発明の第３の実施形態による毛をカットするデバイス２１０を示し、本体部２１１とブレード部２１２とを含む。ブレード部２１２は、上述したような固定ブレードプレート２１３と移動ブレードプレート２１４とを含み、したがって、詳細な説明は繰り返さない。ヒンジ部２１９において支持プレート２１８に旋回可能に取付けられたガイド部材２１７を含むカットガイド２１６が提供され、支持プレート２１８は、ホルダ２２０内に取り外し可能に保持される。ホルダ２２０自体も、ブレード部２１２に隣接するデバイス２１０の端に取り外し可能に固定される（しかし、本発明の範囲内では、ホルダ２２０が、デバイス２１０と一体に形成されることも意図している）。ガイド部材２１７は、ヒンジ部２１９の周りを支持プレート２１８に近づくように及び離れるように旋回し、したがって、ブレード部２１２に対し旋回可能である。図７では、ガイド部材２１７は、支持プレート２１８から離れるように旋回されている。
【００３６】
ホルダ２２０は、支持プレート２１８の両側端２２２を受容する２つの対向スロット２２１を含み、支持プレート２１８は、幾つかの異なる向きで、ホルダ２２０内に保持されることが可能である。例えば、図５乃至図７は、ヒンジ部２１９がホルダ２２０の左側にあるホルダ２２０内に保持されている支持プレート２１８を示す。しかし、図８は、ホルダ２２０から取り外され、ホルダ２２０内に再びはめ込まれる前に１８０度回転させられ、これにより、ヒンジ部２１９が、ホルダ２２０の右側にある支持プレート２１８を示す。図９は、ホルダ２２０から取り外され、ホルダ２２０内に再びはめ込まれる前に、図５乃至図８における向きから９０度回転させられ、これにより、ヒンジ部２１９が、ホルダ２２０の後部にある支持プレート２１８を示す。
【００３７】
ホルダ２２０から取り外し可能であり、ヒンジ部２１９が左右のどちらかにあるように回転可能である支持プレート２１８によって、ユーザは、顔／体の片側で所望のスタイルで毛をカットし、支持プレート２１８の向きを反対にし、ガイド部材２１７を選択角度に維持しつつ、顔／体のもう片側でヘアカットスタイルを正確に反映させることができる。
【００３８】
図１０乃至図１２に、本発明の第４の実施形態による毛をカットするデバイス３１０が示され、本体部３１１とブレード部３１２とを含む。ブレード部３１２は、上述したような固定ブレードプレート３１３と移動ブレードプレート３１４とを含み、したがって、詳細な説明は繰り返さない。図１１及び図１２においてより詳細に示されるカットガイド３１６が提供され、第１のヒンジ部３１９ａにおいて支持プレート３１８に旋回可能に取付けられた第１のガイド部材３１７ａと、第１のヒンジ部３１９ａとは反対側の第１のガイド部材３１７ａの端に、第２のヒンジ部３１９ｂによって旋回可能に取付けられた第２のガイド部材３１７ｂとを含む。支持プレート３１８は、ホルダ３２０内に取り外し可能に保持され、ホルダ３２０自体も、ブレード部３１２に隣接するデバイス３１０の端に取り外し可能に固定される（しかし、本発明の範囲内では、ホルダ３２０が、デバイス３１０と一体に形成されていることも意図している）。
【００３９】
第１のガイド部材３１７ａは、第１のヒンジ部３１９ａの周りを支持プレート３１８に近づくように及び離れるように旋回し、したがって、ブレード部３１２に対して旋回可能である。第２のガイド部材３１７ｂは、第２のヒンジ部３１９ｂの周りを第１のガイド部材３１７ａに近づくように及び離れるように旋回する。第１及び第２のガイド部材３１７ａ、３１７ｂは、図１１では、互いに隣接して畳まれた状態で示され、図１２では、支持プレート３１８からと互いから離れるように旋回された状態で示される。
【００４０】
ホルダ３２０は、支持プレート３１８の両側端３２２を受容する２つの対向スロット３２１を含み、支持プレート３１８は、本発明の第３の実施形態について上述したのと同様に、幾つか異なる向きで、ホルダ３２０内に保持されることが可能であり、したがって、その詳細な説明はここでは繰り返さない。
【００４１】
２つの旋回可能ガイド部材３１７ａ、３１７ｂを含むカットガイド３１６は、ユーザが、正確により多くの種類のヘアカットスタイルを実現できるようにより多様なカットガイド位置を有するヘアカットデバイス３１０を提供する。更に、本発明の第３の実施形態について上述したように、幾つかの異なる向きでホルダ３２０内に受容可能な支持プレート３１８によって、ユーザは、顔／体の片側で所望のスタイルで毛をカットし、支持プレート３１９の向きを反対にし、ガイド部材３１７ａ、３１７ｂを選択角度に維持しつつ、顔／体のもう片側でヘアカットスタイルを正確に反映させることができる。
【００４２】
図１３及び１４に、本発明の第５の実施形態による毛をカットするデバイス４１０が示され、本体部４１１とブレード部４１２とを含む。ブレード部４１２は、上述したような固定ブレードプレート４１３と移動ブレードプレート４１４とを含み、したがって、詳細な説明は繰り返さない。ヒンジ部４１９において支持プレート４１８に旋回可能に取付けられたガイド部材４１７を含むカットガイド４１６が提供され、支持プレート４１８は、ホルダ４２０内に取り外し可能に保持される。ホルダ４２０自体も、ブレード部４１２に隣接するデバイス４１０の端に取り外し可能に固定される（しかし、本発明の範囲内では、ホルダ４２０が、デバイス４１０と一体に形成されることも意図している）。支持プレート４１８は、回転可能なプラットフォーム４２３を含み、ガイド部材４１７は、回転可能なプラットフォーム４２３上に取付けられる。ガイド部材４１７は、ヒンジ部４１９の周りを支持プレート４１８に近づくように及び離れるように旋回し、したがって、ブレード部４１２に対し旋回可能である。図１３及び図１４では、ガイド部材４１７は、支持プレート４１８から離れるように旋回されている。更に、プラットフォーム４２３は、図１４に矢印Ｄによって示されるように、ブレード部４１２に対するガイド部材４１７の向きを変更できるように、その中心軸の周りを回転する。
【００４３】
ホルダ４２０は、支持プレート４１８の両側端４２２を受容する２つの対向スロット４２１を含み、支持プレート４１８は、本発明の第３の実施形態について上述したのと同様に、幾つか異なる向きで、ホルダ４２０内に保持されることが可能であり、したがって、その詳細な説明はここでは繰り返さない。
【００４４】
支持プレート４１８上で回転可能であるガイド部材４１７によって、ユーザは、顔／体の片側で所望のスタイルで毛をカットし、プラットフォーム４２３と取り付けられたガイド部材４１７を回転させ、ガイド部材４１７を選択角度に維持しつつ、顔／体のもう片側でヘアカットスタイルを正確に反映させることができる。ヘアカットデバイス４１０の他の部分に対しガイド部材４１７を回転させる回転可能なプラットフォーム４２３の特徴は、本発明の第１、第３及び第４の実施形態のデバイス１０、２１０、３１０の支持プレート１８、２１８、３１８にも同等に適用して、それらのガイド部材１７、２１７、３１７ａ／３１７ｂが対応するデバイス１０、２１０、３１０のその他の部分に対して回転可能であるようにすることも意図している。
【００４５】
本発明の第１の実施形態のデバイス１０のアーム１７は、デバイス１０のその他の部分から取り外し可能である支持カバー１８上に取付けられるとして説明されている。これは、ユーザが、カットガイド１６を使用するか否かを選択することができ、また、使用されない場合は取り外し可能であるという利点を有する。同様に、本発明の第３乃至第５の実施形態のデバイス２１０、３１０、４１０のホルダ２２０、３２０、４２０は、デバイス２１０、３１０、４１０のその他の部分から取り外し可能であるとして説明されており、同様の利点を提供する。しかし、本発明の範囲内では、これらのカットガイド１６、２１６、３１６、４１６のそれぞれが、デバイス１０、２１０、３１０、４１０の残りの部分と一体に形成されることも意図している。更に、本発明の第３乃至第５の実施形態のデバイス２１０、３１０、４１０は、デバイス２１０、３１０、４１０と一体に形成されたホルダ２２０、３２０、４２０を含んでもよいが、カットガイド２１６、３１６、４１６が不要であるときは、ユーザは、取り外し可能な支持プレート２１８、３１８、４１８を取り外すことができる。更に、支持プレート２１８、３１８、４１８もデバイス２１０、３１０、４１０と一体に形成されてもよいことも意図している。本発明の第２の実施形態のデバイス１１０では、本発明の範囲内では、カットガイド１１６の第１及び／又は第２の光源１１７、１１８が、デバイス１１０の残りの部分と一体に、又は、取り外し可能に形成されてもよいことも意図している。
【００４６】
本発明の様々な実施形態のカットガイドは、ユーザの顔面でのヘアカット動作のための基準ラインを提供するように、カットガイドの角度位置が、ブレード部のカットブレードに対し選択された角度に設定できるように調節可能である。本発明の範囲内では、カットガイドは、カットブレードと平行にある状態から、例えばカットブレードから最大で１８０度離れる、カットブレードから離間された角度にまで調節可能であることも意図している。しかし、本発明の範囲内では、カットガイドは、０度の角度（即ち、カットブレードと平行である）以外で、カットブレードに対し選択された角度の範囲で調節可能であることも意図している。０度の角度が不要なのは、ユーザが、カットブレードに対し平行に毛をカットしたいと望む場合は、傾斜カットガイドは不要であり、ユーザは、単に、カットブレード自体を基準ガイドとして使用することができるからである。
【００４７】
本発明のヘアカットデバイスは、カットガイドが選択された位置に固定され、ヘアカット動作時に、カットガイドが選択された位置から移動しないようにするために、カットガイドに関連付けられたロック機構を含んでもよいことも意図している。
【００４８】
上で図示し説明した本発明の実施形態のヘアカットデバイスは、通常、ヘアトリマーを含む。しかし、本発明の範囲内では、当該デバイスは、例えば電気的回転式又は反復式シェーバーであり、一次シェービングヘッドと二次ヘアトリマーユニットとを有するシェーバーを含むことも意図しており、本発明のカットガイドのブレード部は、当該シェーバーの二次ヘアトリマーユニットを含んでよい。
【００４９】
本発明は、図面及び上記説明において詳細に例示かつ説明されたが、このような例示及び説明は、例示であって限定と考えられるべきではなく、本発明は、開示された実施形態に限定されない。更に、本発明の範囲は、上述され図示された本発明の様々な実施形態の相互に排他的ではない特徴の任意の組み合わせを包含することも意図している。例えば、本発明のヘアカットデバイスは、本発明の第５の実施形態のデバイス４１０と同様の回転可能なプラットフォームに取付けられる、本発明の第４の実施形態のデバイス３１０と同様の２つの結合されたガイド部材を含んでも良い。
【００５０】
当然のことながら、「含む」との動詞は、要素又はステップ以外の要素又はステップを排除するものではなく、不定冠詞「ａ」又は「ａｎ」は、複数性を排除するものではない。特定の手段が相互に異なる従属項に記載されるからと言って、それらの手段の組み合わせを有利に使用することができないことを示すものではなく、本発明は、本明細書に説明された相互に排他的ではない特徴の任意の組み合わせを含むことを意図している。請求項における任意の参照符号は、範囲を限定しているものと解釈すべきではない。
【００５１】
本願では、請求項は、特定の特徴の組み合わせに対し作成されているが、本発明の開示の範囲は、本明細書に明示的に若しくは黙示的に開示されている任意の新規の特徴若しくは任意の新規の特徴の組み合わせ、又は、任意の請求項において現在クレームされているものと同じ発明に関連するか否かに関わらず若しくは本発明が軽減する技術的課題と同じ技術的課題の何れか若しくはすべてを軽減するか否かに関わらず、当該特徴の一般化も含む。出願人は、本願の又は本願から導出される任意の更なる出願の審査手続きの間に当該特徴及び／又は特徴の組み合わせに対し新しい請求項が作成されてもよいことを、ここに、通知する。
【図１】
0006009565.tif 000002
【図２】
0006009565.tif 000003
【図３】
0006009565.tif 000004
【図４】
0006009565.tif 000005
【図５】
0006009565.tif 000006
【図６】
0006009565.tif 000007
【図７】
0006009565.tif 000008
【図８】
0006009565.tif 000009
【図９】
0006009565.tif 000010
【図１０】
0006009565.tif 000011
【図１１】
0006009565.tif 000012
【図１２】
0006009565.tif 000013
【図１３】
0006009565.tif 000014
【図１４】
0006009565.tif 000015